(57)【要約】【課題】屋内に侵入しようとする不審者が、侵入を思いとどまる効果的且つ簡便な防犯システムを提供する。【解決手段】屋外に設けたセンサーにより屋内に設けた照明の点灯および／または警報ブザーの鳴動を行うようにしたことで達成した。このシステムにおいては、屋外に設置したセンサーが作動すると屋内の照明装置が順次点灯するようにすることができる。また、屋外に設けたセンサーが作動して所定時間経過した後に照明が点灯あるいは警報ブザーが鳴動するようにすることもできる。さらには、  照明は屋外にも併設可能とし、また、屋外に設けたセンサーが作動して所定時間経過後に屋外の照明装置が点灯するようにできる等、種々の応用が可能である。【選択図】    図１
2004280175.tif 000002
【特許請求の範囲】
【請求項１】
屋外に設置した人体等を検知するセンサーからの検知信号により屋内の所定の場所に設置した照明の点灯および／または警報ブザーの鳴動を行う防犯システム。
【請求項２】
前記センサーの検知信号が発せられた時間と前記照明の点灯および／または警報ブザーの鳴動が行われた時間とに所定の時間差を設けた請求項１に記載の防犯システム。
【請求項３】
前記センサーの検知信号が発せられた時間と前記照明の点灯および／または警報ブザーの鳴動が行われた時間とに自動的にランダムな時間差を設けた請求項１に記載の防犯システム。
【請求項４】
前記センサーの検知信号を受けて、複数の照明を順次点灯させていく請求項１〜３の何れかに記載の防犯装置。
【請求項５】
照明を屋外にも併設可能とした請求項１〜４の中の何れかに記載の防犯システム。
【請求項６】
屋外に設置した人体等を検知するセンサーからの検知信号により屋外の所定の場所に設置した照明が点灯および／または警報ブザーが鳴動する照明システムにおいて、前記センサーの検知信号が発せられた時間と前記照明の点灯および／または警報ブザーの鳴動との間に時間差を設けた防犯システム。
【請求項７】
屋外に設置した人体等を検知するセンサーからの検知信号により屋外の所定の場所に設置した照明が点灯および／または警報ブザーが鳴動する照明システムにおいて、前記センサーの検知信号が発せられた時間と前記照明の点灯および／または警報ブザーの鳴動とに自動的にランダムな時間差を設けた防犯システム。
【発明の詳細な説明】
【０００１】
【発明の属する技術分野】
本発明は、不審者が家屋に侵入しようとした際に照明あるいは警報を発する防犯システムに関する。
【０００２】
【従来の技術】
従来、不審者が夜間に庭や駐車場に侵入したり、ドアや窓に近づいたり、さらには、屋外から屋内に通じるドアまたは窓等にドアまたは窓を開けたことを検知するセンサーを取り付け、この検知センサーが不審者の侵入を検知すると、センサーからの信号により、屋内外の所定の箇所に設置された照明や警報ブザーが機能するシステムとして、例えば特許文献１〜５に記載のように種々の方式のものが広く知られている。
【０００３】
これらの防犯装置において多くの問題が指摘されている。例えば、屋外に設けたセンサーにより屋外に設けた照明が点灯する装置は、現在では全国的に普及した一般的な装置となっているため、必ずしも家屋の住人が不審者に気付き点灯操作を行っているものではないことを不審者も熟知しており、防犯という目的を果たせなくなっている。
【０００４】
また、通常、センサーが検知すると同時に照明が点灯するシステムの場合、あまりにも照明点灯のタイミングが早すぎて不審者に警戒心を抱かせる効果が非常に弱く、防犯装置というよりも単なる照明装置となってしまっている。
【０００５】
さらには、住人に不審者の存在を知らせるために屋外に警報ブザー等の警報装置を配置したシステムにおいては、誤作動等が生じた場合、近隣等へ多大な迷惑を掛けることとなる。
【０００６】
また、さらには、ドアや窓にセンサーを設けても、警報が作動した時はドアまたは窓を開けられた後であり後手に回っているのが実情である。
【０００７】
【特許文献１】
特開昭５０−１５２６９７号公報
【０００８】
【特許文献２】
特開平０１−１５８３７８号公報
【０００９】
【特許文献３】
特開平０１−１５８３７８号公報
【００１０】
【特許文献４】
特開２０００−１４９１５９号公報
【００１１】
【特許文献５】
特開２０００−２７６６６７公報
【００１２】
【発明が解決しようとする課題】
本発明は、かかる従来の防犯装置における問題を解消するもので、とくに、屋内に侵入しようとする不審者が、侵入を思いとどまる効果的且つ簡便な防犯システムを提供するものである。
【００１３】
【課題を解決するための手段】
本発明は、不審者の家屋への侵入に際して家屋外部に設けられたセンサーにて屋内の照明を点灯させることにより家人が不審者に気づいたことを意味するもので、夜間での不審者の家屋への侵入を未然に防止する手段として最も有効であるというアイデアに基づく。
【００１４】
すなわち、上記課題を、まず第１に屋外に設けたセンサーにより屋内に設けた照明の点灯および／または警報ブザーの鳴動を行うようにしたことで達成した。
【００１５】
このシステムにおいては、屋外に設置したセンサーが作動すると屋内の照明装置が順次点灯するようにすることができる。
【００１６】
また、屋外に設けたセンサーが作動して所定時間経過した後に照明が点灯あるいは警報ブザーが鳴動するようにすることもできる。
【００１７】
また、屋外に設けたセンサからの照明あるいは警報ブザーへの情報は、有線、無線、光、超音波、その他任意の情報伝達手段を利用することができる。
【００１８】
さらには、  照明は屋外にも併設可能とし、また、屋外に設けたセンサーが作動して所定時間経過後に屋外の照明装置が点灯するようにできる等、種々の応用が可能である。
【００１９】
【発明の実施の形態】
以下、実施例によって本発明の実施の形態を説明する。
【００２０】
図１は、本発明の第１の実施の形態を示すもので、家屋１の玄関や勝手口等の屋外２近辺に、超音波センサー、光センサー、温度感知センサー等、人体等が近づいたら検知するセンサー４を設置し、家屋１の玄関または勝手口のドア３の部屋の内側やトイレ等、異常時に点灯させたい場所の既存の照明５ａを点灯させ、また鳴動させたい場所に設けた警報ブザー６を鳴動させるようにした防犯装置の構成図である。照明装置については既存の照明５ａとは別に専用の照明５ｂを新たに設けることも可能であり、屋外２に照明５ｃを併設することも可能である。
【００２１】
図２は、本発明の第２の実施の形態を示すもので、駐車場１０に図１に示す防犯装置を設けた場合の構成図である。同図において、夜間、不審者が駐車場１０または屋外２等に侵入するとセンサー４が検知し、図１と同様に屋内７の既存の照明５ａが点灯し警報ブザー６が鳴動する。また図１と同様に新たに照明５ｂを設けることも可能であり、屋外２に照明５ｃを併設することも可能である。
【００２２】
図３〜図５は、本発明の防犯システムに使用する回路構成を示す。
【００２３】
図３は、図１および図２に示す防犯システムの回路構成を示したものである。センサー４がＯＮすることにより警報制御装置１２を通して照明あるいは警報ブザーは制御され、照明５ａ、５ｂ、５ｃが点灯し警報ブザー６が鳴動するようになっている。
【００２４】
図４は、センサー４がＯＮした時間と、照明５ａ、５ｂ、５ｃの点灯および警報ブザー６の鳴動を行う時間に差を設けた場合の回路構成であり、センサー４が作動すると警報制御装置１２を通して制御され、タイマーリレー８が入り、設定された時間たとえば１分間が経過するとタイマー接点９が閉じ、照明５ａ、５ｂ、５ｃが点灯し警報ブザー６が鳴動するようになっている。設定する時間は任意に自由に変更が可能である。
【００２５】
図５は、センサー４から照明５ａ、５ｂ、５ｃおよび警報ブザー６までの信号伝達手段として無線を用いた場合の回路構成である。屋外２のセンサー４がＯＮすると警報制御装置１２を通して制御され、発信制御装置１４から無線信号が発せられ、屋内７の受信制御装置１５にて信号の受信と制御が行われ、照明５ａ、５ｂ、５ｃの点灯および警報ブザー６の鳴動を行う。信号の送信手段については、電波、光等のいずれの方法を用いても可能である。
【００２６】
図６は、玄関先等の屋外２に設置したセンサー４からの信号を受けて、特定の部屋、階段、玄関内部等の複数の箇所にある既存の照明５ｄ、５ｅ、５ｆを順次点灯させ、また鳴動させたい場所に設けた警報ブザー６を鳴動させるようにしたシステムの構成図である。照明装置については既存の照明５ｄ、５ｅ、５ｆとは別に新たに設けることも可能であり、屋外にも併設することも可能である。
【００２７】
図７は図６の回路構成を示したものであり、センサー４がＯＮすると警報制御装置１２を通して制御され、タイマーリレー８ａ、８ｂ、８ｃが入る。
【００２８】
タイマーリレー８ａ、８ｂ、８ｃはそれぞれ作動時間が異なっており、最初にタイマーリレー８ａが作動しタイマー接点９ａが閉じることにより照明５ｄが点灯するとともに警報ブザー６が鳴動し、次にタイマーリレー８ｂが作動し、タイマー接点９ｂが閉じることにより、照明５ｅが点灯する。最後にタイマーリレー８ｃが作動し、タイマー接点９ｃが閉じることにより、照明５ｆが点灯し、これらの一連の流れは階上に居る住人があたかも階下に降りてきているような様子を表している。
【００２９】
図８はセンサー４がＯＮした時間と、複数の照明５ｇ、５ｈ、５ｉの点灯および警報ブザー６の鳴動を行う時間に、それぞれランダムな差を設けた場合の回路構成である。センサー４がＯＮすると警報制御装置１２を通して制御され、作動毎に自動的にランダムに時間設定する制御機能をもたせた自動ランダム可変制御タイマーリレー８ｄ、８ｅ、８ｆは、それぞれランダムに設定された時間が経過すると、それぞれに対応したタイマー接点９ａ、９ｂ、９ｃを閉じ、照明５ｇ、５ｈ、５ｉが点灯し、警報ブザー６が鳴動する。自動ランダム可変制御タイマーリレー８ｄ、８ｅ、８ｆで設定される時間は、作動毎に自動的にランダムに変化する事から、住人が操作を行っているような様子を呈している。
【００３０】
【発明の効果】
１．センサーが検知すると屋内の照明が点灯および／または警報ブザーが鳴動するため、不審者は建物内の人が不審者に気づいて照明を点灯および／または警報ブザーを鳴動させた等と思い、侵入をあきらめて退散する等、犯罪が未然に防止できる。
【００３１】
２．センサーが検知すると複数の照明が順次時間を置いて点灯したり、検知後、所定の時間が経過した後に照明が点灯する等、照明の点灯に時間差を設けているので、不審者に対する牽制に絶大な威力を発揮する。
【００３２】
３．照明装置は屋内の既存の照明器具が使用可能であり新たに照明装置を設置する必要がないため、非常に安価に設置が可能である。
【００３３】
４．警報ブザーは屋内に設けているので、万一誤作動等が生じても近隣へ迷惑を掛けることが皆無となる。
【図面の簡単な説明】
【図１】本発明の防犯システムの第１の実施の形態を示す。
【図２】本発明の防犯システムの第２の実施の形態を示す。
【図３】図１および図２に示す防犯システムの回路構成を示す。
【図４】センサーがＯＮした時間と、照明の点灯および警報ブザーの鳴動を行う時間に差を設けた場合の回路構成を示す。
【図５】センサーからの信号伝達手段として無線を用いた回路構成を示す。
【図６】本発明の防犯システムの他の実施の形態を示す。
【図７】図６に示す防犯システムの回路構成を示す。
【図８】本発明の防犯システムの他の実施の形態における回路構成を示す。
【符号の説明】
１    家屋
２    屋外
３    ドア
４    センサー
５ａ  既存の照明
５ｂ  専用の照明
５ｃ  屋外の照明
５ｄ  既存の照明
５ｅ  既存の照明
５ｆ  既存の照明
５ｇ  照明
５ｈ  照明
５ｉ  照明
６    警報ブザー
７    屋内
８    タイマーリレー
８ａ  タイマーリレー
８ｂ  タイマーリレー
８ｃ  タイマーリレー
８ｄ  自動ランダム可変制御タイマーリレー
８ｅ  自動ランダム可変制御タイマーリレー
８ｆ  自動ランダム可変制御タイマーリレー
９    タイマー接点
９ａ  タイマー接点
９ｂ  タイマー接点
９ｃ  タイマー接点
１０  駐車場
１１  車
１２  警報制御装置
１３  電源
１４  発信制御装置
１５  受信制御装置
１６  窓
【図１】
2004280175.tif 000003
【図２】
2004280175.tif 000004
【図３】
2004280175.tif 000005
【図４】
2004280175.tif 000006
【図５】
2004280175.tif 000007
【図６】
2004280175.tif 000008
【図７】
2004280175.tif 000009
【図８】
2004280175.tif 000010